(57)【要約】      （修正有）【課題】集合玄関機から通知音や通話・ガイダンスなどの音を電磁波で送出し、補聴器のＴモード（Ｔコイル）にて聴取可能とする集合住宅インターホンシステムを提供する。【解決手段】集合住宅インターホンシステムは、来訪者が居住者を呼び出して通話を行うための複数の集合玄関機と、集合玄関機からの呼び出しを確認した居住者が応答して来訪者との間で通話を行うための居室親機と、集合玄関機、居室親機をそれぞれ制御する制御機とから構成される集合住宅インターホンシステムであって、集合玄関機は、音を磁界として発生する磁界発生部と、当該集合玄関機の場所、操作方法等の情報を磁界発生部から出力させる制御をおこなう集合玄関機制御部を備える。【選択図】図２
2010199803.tif 000002
【特許請求の範囲】
【請求項１】
来訪者が居住者を呼び出して通話を行うための複数の集合玄関機と、前記集合玄関機からの呼び出しを確認した居住者が応答して前記来訪者との間で通話を行うための居室親機と、前記集合玄関機、前記居室親機をそれぞれ制御する制御機とから構成される集合住宅インターホンシステムであって、
前記集合玄関機は、音を磁界として発生する磁界発生部と、当該集合玄関機の場所、操作方法等の情報を前記磁界発生部から出力させる制御をおこなう集合玄関機制御部を備えたことを特徴とする集合住宅インターホンシステム。
【請求項２】
前記集合玄関機制御部は、待受時に前記磁界発生部に対して当該集合玄関機の場所の情報を出力させるよう制御するものであることを特徴とする請求項１記載の集合住宅インターホンシステム。
【請求項３】
前記集合玄関機は、人感センサを備え、
前記集合玄関機制御部は、前記人感センサが来訪者を検出したとき前記磁界発生部に対して当該集合玄関機の場所の情報を出力させるよう制御するものであることを特徴とする請求項２記載の集合住宅インターホンシステム。
【請求項４】
前記集合玄関機は、来訪者が部屋番号を入力する部屋番号入力部を備え、
前記集合玄関機制御部は、前記部屋番号入力部で入力した数字を前記制御機にて置数され、当該置数がおこなわれる毎に置数された数字情報を出力させるよう制御するものであることを特徴とする請求項１乃至請求項３何れか１項記載の集合住宅インターホンシステム。
【請求項５】
前記集合玄関機からの呼び出しに対して前記居住者が前記居室親機を操作し、前記制御機の制御によって通話路が形成された状態において、
前記集合玄関機制御部は、前記居室親機で入力された音声を前記磁界発生部から出力するよう制御するものであることを特徴とする請求項１乃至請求項４何れか１項記載の集合住宅インターホンシステム。
【請求項６】
前記制御機は、電気錠付オートドアが接続され、
前記集合玄関機制御部は、前記居住者が前記居室親機で前記電気錠付オートドアの解錠操作を行ったことを検出すると、前記来訪者に解錠された旨ならびに、エレベータの位置等のガイダンス情報を出力するよう制御するものであることを特徴とする請求項１乃至請求項５何れか１項記載の集合住宅インターホンシステム。
【発明の詳細な説明】
【技術分野】
【０００１】
本発明は集合住宅インターホンシステムに係り、特に集合玄関機から電磁波として通知音やガイダンスを鳴動させることとした集合住宅インターホンシステムに関する。
【背景技術】
【０００２】
従来の集合住宅インターホンシステムは、来訪者のために集合玄関機から様々なガイダンスを音や画像によって出力させていた。
これにより、来訪者は容易に集合玄関機の操作をおこなえることができるので便利なものとなっていた（例えば、特許文献１）。
【先行技術文献】
【特許文献】
【０００３】
【特許文献１】特開2004-120173
【発明の開示】
【発明が解決しようとする課題】
【０００４】
しかしながら、従来の集合住宅インターホンシステムでは、操作方法等をガイダンスとして音や表示により来訪者に対して通知していたが、来訪者が視覚障害、聴覚障害の両方を持っている人にとって周囲雑音の大きいところでは、通常のマイクで集音した音声を増幅する補聴器のＭモードではそのガイダンスが聞き取り難かった。
本発明は、上記の難点を解決するためになされたもので、集合玄関機から通知音や通話・ガイダンスなどの音を電磁波で送出し、補聴器のＴモード（Ｔコイル）にて聴取可能とする集合住宅インターホンシステムを提供することを目的としている。
【課題を解決するための手段】
【０００５】
上記難点を解決するためになされたもので、本発明による集合住宅インターホンシステムは、来訪者が居住者を呼び出して通話を行うための複数の集合玄関機と、集合玄関機からの呼び出しを確認した居住者が応答して来訪者との間で通話を行うための居室親機と、集合玄関機、居室親機をそれぞれ制御する制御機とから構成される集合住宅インターホンシステムであって、集合玄関機は、音を磁界として発生する磁界発生部と、当該集合玄関機の場所、操作方法等の情報を磁界発生部から出力させる制御をおこなう集合玄関機制御部を備えたことを特徴とする。
【０００６】
請求項２の発明は、請求項１において、集合玄関機制御部は、待受時に磁界発生部に対して当該集合玄関機の場所の情報を出力させるよう制御するものであることを特徴とする
【０００７】
請求項３の発明は、請求項２の発明において、集合玄関機制御部は、人感センサが来訪者を検出したとき磁界発生部に対して当該集合玄関機の場所の情報を出力させるよう制御するものであることを特徴とする。
【０００８】
請求項４の発明は、請求項１乃至請求項３何れかの発明において、集合玄関機は、来訪者が部屋番号を入力する部屋番号入力部を備え、集合玄関機制御部は、部屋番号入力部で入力した数字を制御機にて置数され、当該置数がおこなわれる毎に置数された数字情報を出力させるよう制御するものであることを特徴とする。
【０００９】
請求項５の発明は、集合玄関機からの呼び出しに対して居住者が居室親機を操作し、制御機の制御によって通話路が形成された状態において、集合玄関機制御部は、居室親機で入力された音声を磁界発生部から出力するよう制御するものであることを特徴とする。
【００１０】
請求項６の発明は、制御機は、電気錠付オートドアが接続され、集合玄関機制御部は、居住者が居室親機で電気錠付オートドアの解錠操作を行ったことを検出すると、来訪者に解錠された旨ならびに、エレベータの位置等のガイダンス情報を出力するよう制御するものであることを特徴とする。
【発明の効果】
【００１１】
請求項１の発明によれば、補聴器のＴコイル（Ｔモード）へ電磁波で音を通知できるので、雑音の少ないクリアな通話やガイダンスを聴覚障害者へ伝達することができる。
請求項２の発明によれば、視覚と聴覚に障害がある障害者に集合玄関機の位置を通知することができるので初めて訪問した場合であっても居住者を呼び出すことができる。
請求項３の発明によれば、視覚と聴覚に障害がある障害者に集合玄関機からの訪問居室の呼出方法を通知することができる。
請求項４の発明によれば、視覚と聴覚に障害がある障害者に置数した番号を通知することができるので確実に居住者を呼び出すことができる。
請求項５の発明によれば、聴覚に障害がある障害者に居住者からの通話を通知することができるので話の内容を確認することができる。
請求項６の発明によれば、視覚と聴覚に障害がある障害者にオートドアの解錠やエレベータまでの案内を通知することができるので、どこに行けば集合住宅内に入れるのかを確認することができる。
【発明を実施するための最良の形態】
【００１２】
以下、本発明の集合住宅インターホンシステムを適用した最良の実施の形態例について、図面を参照して説明する。
図１は、本発明の集合住宅インターホンシステムのシステム構成図である。
【００１３】
図１に示すように、エントランスに設置され、来訪者が居住者を呼び出して通話するための集合玄関機１、居住者が使用し宅内に設置される複数の居室親機３、電気錠付オートドア４、集合玄関機１、居室親機３及び電気錠付オートドア４を制御する制御機２とから構成されている。
【００１４】
図２は、本発明の集合住宅インターホンシステムのブロック図である。
集合玄関機１は、来訪者を撮像するためのカメラ１１、人物を検出する人感センサ１２、来訪者が居住者を呼び出すための呼出ボタン１３及び部屋番号入力部１４、磁気により通知音等を発生させるためのループコイル等から構成される磁界発生部１５、来訪者が居住者と通話するための集合玄関機マイク１６、集合玄関機スピーカ１７、集合玄関機通話部１９、集合玄関機１の各部を制御する集合玄関機制御部１８、制御機２と通信するための集合玄関機通信部２０から構成されている。
【００１５】
制御機２には、集合玄関機１、居室親機３、電気錠付オートドア４とそれぞれ通信するための第１〜第３の制御機通信部２１、２２、２４、制御機２の各部を制御する制御機制御部２３、集合玄関機１から出力させる通知音やガイダンスを記憶する通知音／ガイダンス蓄積部２５から構成されている。
【００１６】
複数の居室親機３はそれぞれ同様な構成であって、制御機２と通信するための居室親機通信部３１、カメラ１１で撮像した映像を処理して出画ための映像処理部３２、居室親機３の各部を制御する居室親機制御部３３、呼出音を生成する呼出音生成部３４、来訪者と通話するための居室親機通話部３５、居室親機マイク３８、居室親機スピーカ３９、映像処理部３２で処理した映像を表示する表示部３６、通話開始／終了や電気錠の解錠等の操作をする操作部３７から構成されている。
【００１７】
電気錠付オートドア４は、電気錠を駆動させるための駆動部４１、電気錠を制御する電気錠制御部４２、制御機２と通信するための電気錠通信部４３から構成されている。
【００１８】
このように構成された集合住宅インターホンシステムについて、以下、動作を説明する。
集合玄関機１が待ち受け状態であった場合、当該集合玄関機の場所を磁気発生部１５から通知するために制御機２の通知音／ガイダンス蓄積部２５から通知音を読み出して集合玄関機１へ送信する。この通知音は制御機２の制御部２３から第１の制御機通信部２１、集合玄関機通信部２０を介して集合玄関機１へ送信される。
【００１９】
集合玄関機１では、集合玄関機通信部２０を介して集合玄関機制御１８にて受信され、その制御により集合玄関機通話部１９を能動として磁界発生部１５から磁界を発生させ、「ポーン、集合玄関機は右前方にあります」を繰り返し出力する。来訪者が視覚、聴覚の障害者である場合には、所持している補聴器のＴモードにより、磁界発生部１５から出力されているガイダンス情報を聴取することができる。これにより、来訪者は集合玄関機１の場所を特定することができる。
【００２０】
なお、集合玄関機１に備えられた（又は接続された）人感センサ１２が来訪者を検出してから上記ガイダンス情報を出力するようにしても好適である。
次に、集合玄関機１の場所を把握した来訪者が集合玄関機１の部屋番号入力部１４を操作して例えば「５」「０」「１」と入力すると、「５」が入力された情報が集合玄関機制御部１８、集合玄関機通信部２０を介して制御機２に送信され、制御機２では第１の制御機通信部２１を介して制御機制御部２３で受信する。この情報は置数されて逆の経路をたどって集合玄関機１にて受信され図示しない表示部に「５」が表示される。これと同時に、制御機制御部２３及び集合玄関機制御部１８は、集合玄関機１の位置を通知するガイダンスを止めて部屋番号入力部１４で入力した情報「５」を磁界発生部１５から出力させる。同様に「０」「１」についても磁界発生部１５から出力させ、来訪者は、所持している補聴器のＴモードにより部屋番号入力部１４で入力した情報を確認することができる。
【００２１】
その後、来訪者は呼出ボタン１３を操作して、呼出操作をおこなうと、部屋番号入力部１４で入力したときと同様の経路で制御機２にて呼出信号を受信し、制御機２は、第２の制御機通信部２４を介して「５０１」号室の居室親機３の居室親機スピーカ３９から呼出音を報音させる（詳述せず）。これを確認した居住者が操作部３７を操作して通話モードに移行させると制御機２が集合玄関機１及び居室親機３間の通話路を形成するよう制御する。なお、呼出時、通話時において、集合玄関機１のカメラ１１で撮像した映像は従来技術と同様、制御機２を介して居室親機３に送信され、居室親機３の映像処理部３２で適宜処理された映像が表示部３６にて表示される。
【００２２】
通話路を形成した後、居住者が居室親機マイク３８から音声を入力すると、音声信号として居室親機通話部３５、居室親機通信部３１を介して制御機２に送信され、制御機２から集合玄関機１へさらに送信される。これを検出した集合玄関機制御部１８の制御により磁界発生部１５を駆動して居室親機マイク３８で入力した音声の内容を出力すると共に集合玄関機スピーカ１７から音声を出力するよう制御する。
これにより、来訪者は、所持している補聴器のＴモードにより部屋番号入力部１４で入力した情報を確認することができる。
【００２３】
また、居室親機３の操作部３７で、電気錠付オートドア４を解錠させた場合には、解錠信号を制御機２の制御機制御部２３が受信すると、通知音／ガイダンス蓄積部２５からオートドアの位置や、エレベータの位置を知らせるためのガイダンスを磁界発生部１５から出力するよう制御する。動作としては上記実施例における集合玄関機の場所のガイダンスと同様であるので省略する。
【００２４】
これにより、来訪者は、集合住宅内に入ったあとの情報を取得できるので、どこに行けばいいのかを確認することができる。
【図面の簡単な説明】
【００２５】
【図１】本発明の集合住宅インターホンシステムのシステム構成図である。
【図２】本発明の集合住宅インターホンシステムのブロック図である。
【符号の説明】
【００２６】
１・・・集合玄関機
１３・・・呼出ボタン
１４・・・部屋番号入力部
１５・・・磁界発生部
１６・・・集合玄関機マイク
１７・・・集合玄関機スピーカ
１８・・・集合玄関機制御部
２・・・制御機
３・・・居室親機
【図１】
2010199803.tif 000003
【図２】
2010199803.tif 000004